(57)【特許請求の範囲】
【請求項１】
下端に回収口が設けられ、上端に孔部が設けられたプラスチック容器と、このプラスチック容器内にセットされた回収袋とを備え、
前記回収口の周囲に短冊状の弾性片を形成すると共に前記回収袋の開口側を前記弾性片の外側に折り返しておく一方、回収袋の底部側を孔部から引き出しておき、
前記孔部から引き出しておいた回収袋の底部側をプラスチック容器の上方に引っ張ることによって、前記弾性片を内方に弾性変形させ、この弾性片で小物をすくい取るようにしたことを特徴とする小物回収容器。
【請求項２】
前記プラスチック容器がペットボトルを利用してなる請求項１記載の小物回収容器。
【請求項３】
前記弾性片がプラスチック容器の回収口に沿って設けられた複数の縦方向の切込みによって形成されてなる請求項１記載の小物回収容器。
【請求項４】
前記回収袋の底部が次第に窄まって形成されてなる請求項１記載の小物回収容器。
【発明の詳細な説明】
【０００１】
【発明の属する技術分野】
本発明は、小物回収容器に係り、特に犬の糞などを簡易な手段で回収するのに好適な容器である。
【０００２】
【従来の技術】
犬の糞を回収する器具として、従来から様々なものが提案されている。例えば、図６に示した糞回収器具は、柄１の先端に内筒２と外筒３とからなる筒状の収容部４を設け、前記内筒２の下部に弾力性のある花弁状の複数の爪部５を形成すると共に、柄１の内部を貫通するハンドル６の下端を内筒２の上端に連結したものである（実開昭６３−１９９５５５号参照）。（イ）に示したように、使用時にはハンドル６を下げて外筒３から内筒２の爪部５を突出させ、その弾性力によって爪部５を開いておく。また、内筒２の内側にビニール袋７をセットし、ビニール袋７の口の方を内筒２の外側に折り返しておく。そして、その状態で糞８の上に収容部４を被せ、爪部５の先端で糞８をすくい取るようにしてハンドル６を引上げる。（ロ）に示したように、ハンドル６を引上げると内筒２が一緒に引上げられ、この内筒２を外筒３内に収納することで外側に張り出していた爪部５が押し縮められて閉じ、糞８をすくい取ることができる。その後、ビニール袋７の折り返してある口を閉じてからハンドル６を押し下げ、再び爪部５を押し広げてビニール袋７を収容部４から取り外すことで、ビニール袋７の中に回収された糞８を始末することができる。
【０００３】
【発明が解決しようとする課題】
しかしながら、上記従来の糞回収器具にあっては、内筒２の下部に設けた弾力性のある爪部５を外筒３の内側で上下動させることで開閉させる構造となっているので、爪部５の弾力性が大き過ぎるとハンドル６の引上げ操作が大変となる一方、爪部５の弾性力を小さくしてしまうと内筒２が下がって爪部５が開いてしまい、折角すくい取った糞８を落としてしまうおそれがある。また、内筒２の内面に沿ってビニール袋７をセットしても、糞回収器具を持ち運ぶ際にビニール袋７がずり落ちるおそれがある。さらに、糞回収器具が嵩張るために、犬を散歩させる時にいつも携帯するのは面倒であり、邪魔になってしまうことになる。
【０００４】
そこで、本発明の目的は、犬の糞、その他の小物類を簡易な手段で確実に回収することのできる小物回収容器を提供することである。
【０００５】
【課題を解決するための手段】
上記課題を解決するために、本発明の請求項１に係る小物回収容器は、下端に回収口が設けられ、上端に孔部が設けられたプラスチック容器と、このプラスチック容器内にセットされた回収袋とを備え、前記回収口の周囲に短冊状の弾性片を形成すると共に前記回収袋の開口側を前記弾性片の外側に折り返しておく一方、回収袋の底部側を孔部から引き出しておき、前記孔部から引き出しておいた回収袋の底部側をプラスチック容器の上方に引っ張ることによって、前記弾性片を内方に弾性変形させ、この弾性片で小物をすくい取るようにしたことを特徴とする。
【０００６】
この発明によれば、プラスチック容器の回収口の周囲に短冊状の弾性片が形成され、且つプラスチック容器内にセットされた回収袋の開口側を前記弾性片の外側の折り返してあるので、犬の糞などを回収する場合にはプラスチック容器の回収口を糞の上に被せ、弾性片の下端を地面に接地した状態で回収袋をプラスチック容器の上方に引っ張ると、その引っ張り力によって弾性片が内方に弾性変形し、弾性片の上に犬の糞などをすくい取ることができる。
【０００７】
また、前記プラスチック容器には使用済みのペットボトルを再利用することができるので、リサイクルによる資源の有効活用を図ることができる。
【０００８】
さらに、上記弾性片は、プラスチック容器の回収口の周囲に沿って複数の縦方向の切込みを設けることによって容易に形成することができる。
【０００９】
さらにまた、前記回収袋の底部が次第に窄まって形成されているので、プラスチック容器の上端に形成された孔部に回収袋の底部を挿入し易くなる。
【００１０】
【発明の実施の形態】
以下、添付図面に基づいて本発明に係る小物回収容器の実施形態を詳細に説明する。ここで、図１は本発明に係る糞回収容器の全体構造を示す分解斜視図、図２乃至図５図は糞回収容器を使って犬の糞を回収する手順を示す説明図である。
【００１１】
図１に示されるように、この実施形態に係る糞回収容器は、下端に糞の回収口１１が設けられた円筒状のプラスチック容器１０と、このプラスチック容器１０内にセットされる糞回収用のビニール袋１２と、前記プラスチック容器１０の回収口１１を着脱可能に塞ぐカップ状の蓋体１３とを備える。
【００１２】
前記プラスチック容器１０の回収口１１の周囲には全周に亘って縦方向の切込み１４が等間隔に設けられ、左右の切込み１４に挟まれた短冊状の弾性片１５を多数形成している。この弾性片１５は、小さな短冊状に形成されていることから容易に弾性変形する。弾性片１５が外方に弾性変形することで回収口１１を開くことができる一方、内方に弾性変形することで回収口１１を閉じることができる。弾性片１５の弾性力は、短冊幅や切込み１４の深さ、プラスチック容器１０の材質などによって調整することができる。プラスチック容器１０の材質としては、例えばペットボトルなどの材料として利用されているポリエチレンテレフタレートが好適であり、またペットボトルを上記プラスチック容器１０として利用することも可能である。
【００１３】
前記プラスチック容器１０は胴体部分が寸胴に形成されており、肩部から上が次第に窄まって上端に孔部１６を設けている。この孔部１６は後述するビニール袋１２の一部を引き出すためのもので、上記の回収口１１よりかなり小さい。また、プラスチック容器１０には吊下げ用の把手１７が設けられ、この把手１７の両方の下端部がプラスチック容器１０の胴体部分の略中央部に回転可能に取り付けられている。
【００１４】
前記プラスチック容器１０内にセットされるビニール袋１２は、図１に示したような円錐形状の透明袋であり、一端に開口部２０を有すると共に他端には次第に窄まって細くなった底部２１を有する。このビニール袋１２をプラスチック容器１０内にセットする場合には、先ずビニール袋１２を逆さにして底部２１側をプラスチック容器１０の回収口１１側から挿入し、図２に示したように、細くなっている底部２１をプラスチック容器１０の孔部１６から引き出す。次に、ビニール袋１２の開口部２０側を前記弾性片１５の外側に折り返して反転部２２を形成する。そして、さらにビニール袋１２をプラスチック容器１０の内周面に押し付けてセットを完了する。
【００１５】
次に、上記の糞回収容器を使って犬の糞を回収する手順を図２乃至図５に基づいて説明する。この糞回収容器は犬を散歩させる時に携帯しても邪魔になるものではなく、ビニール袋１２をプラスチック容器１０の中にセットし、回収口１１を蓋体１３で閉じた状態で把手１７で吊り下げて持ち歩くことができる。そして、図２に示したように、犬が道端や公園などで糞２５をした場合には、蓋体１３を外してからプラスチック容器１０の回収口１１を糞２５の上に被せ、弾性片１５の下端を地面２６に押し付ける。
【００１６】
次いで、図３に示したように、片手２７ａでプラスチック容器１０を押え付け、もう一方の手２７ｂでプラスチック容器１０の孔部１６から飛び出しているビニール袋１２の底部２１を握ってプラスチック容器１０の上方に引っ張り出す。すると、ビニール袋１２は、反転部２２が弾性片１５の下端で地面２６に押え付けられているので、ビニール袋１２がピンと張られて弾性片１５を一緒に引っ張ることになる。そのために、短冊状に形成されている弾性片１５の一つ一つが内方に弾性変形して大きく撓み、その変形した弾性片１５の上に犬の糞２５をすくい取ることができる。この実施形態の弾性片１５は、回収口１１の周囲に小さく短冊状に配列された構成となっているので、ビニール袋１２を引っ張る程度の力でも容易に弾性変形して回収口１１を閉じ、プラスチック容器１０の中に回収することができる。
【００１７】
犬の糞２５をすくい取った後は、ビニール袋１２を引っ張ったままプラスチック容器１０を地面２６から離す。この状態では弾性片１５が内方に弾性変形してプラスチック容器１０の回収口１１を閉じているので、すくい取った糞２５が落ちることはない。次に、地面２６から離したプラスチック容器１０を、図４に示したように水平に保ち、ビニール袋１２の引っ張り力を緩めて弾性片１５を復帰させて回収口１１を開く。さらに、ビニール袋１２の開口部２０側に折り返してあった反転部２２を元に戻して、すくい取った糞２５をプラスチック容器１０の中に収容する。
【００１８】
最後に、図５に示したように、ビニール袋１２の開口部２０の近くを縛ってプラスチック容器１０内に押し込み、回収口１１に蓋体１３を被せる。また、把手１７を回転させてプラスチック容器１０を上下逆にして吊下げる。こうすることで、上向きとなったプラスチック容器１０の回収口１１を蓋体１３でしっかり押えることができるので、蓋体１３が外れてプラスチック容器１０から糞２５が落ちるような心配もなく、また糞２５からの悪臭を確実に防ぐことができるので、安心して犬の散歩を続けることができる。犬の散歩を終えて家に戻ったら蓋体１３を外してビニール袋１２を回収口１１側から取り出し、ビニール袋１２ごと糞２５を始末する。
【００１９】
なお、上述の実施形態は犬の糞を始末する場合について説明したが、プラスチック容器１０内に回収する小物が犬の糞に限られないのは勿論である。
【００２０】
【発明の効果】
以上説明したように、本発明に係る小物回収容器によれば、プラスチック容器の回収口の周囲に内方に弾性変形する弾性片を設けてすくい取るようにしたので、犬の糞などの小物を簡易な手段でしかも確実に回収できるといった効果を奏する。
【図面の簡単な説明】
【図１】本発明に係る小物回収容器の分解斜視図である。
【図２】本発明の小物回収容器を糞の上に被せた状態を示す説明図である。
【図３】本発明の小物回収容器の弾性片で糞をすくい取る時の説明図である。
【図４】本発明の小物回収容器の中に糞をすくい取った状態を示す説明図である。
【図５】本発明の小物回収容器に糞が回収された状態を示す説明図である。
【図６】従来の糞回収器具の一例を示す説明図である。
【符号の説明】
１０  プラスチック容器
１１  回収口
１２  ビニール袋（回収袋）
１４  切込み
１５  弾性片
１６  孔部
２０  開口部
２１  底部
２５  糞（小物）
【図１】
0003826051.tif 000002
【図２】
0003826051.tif 000003
【図３】
0003826051.tif 000004
【図４】
0003826051.tif 000005
【図５】
0003826051.tif 000006
【図６】
0003826051.tif 000007